(57)【要約】【課題】簡素な構造で且つ正確に画像形成、定着が可能な小型のフォトプリンタを提供する。【解決手段】画像定着部７は、搬送路８上に設けられた、円筒形状のドラム７０と、該ドラム７０の軸付近に設置されたマゼンダ用蛍光管７１とイエロー用蛍光管７２と、ロール紙１００を搬送路８からドラム７０内壁に沿って搬送させる定着部ガイド７３とを備えている。ここで、マゼンダ用蛍光管７１とイエロー用蛍光管７２とを、その軸方向がドラム７０の軸方向と一致するように配置する。画像定着を行う場合は、ロール紙１００をドラム７０内部に導く。ここで、ロール紙１００は画像形成領域のみがドラム７０内部に導かれ、蛍光管からの光は画像形成領域のみに照射される。【選択図】  図１
2005007652.tif 000002
【特許請求の範囲】
【請求項１】
それぞれに異なる加熱温度で画像形成されるとともにこれらの温度に応じて異なる波長の光により画像定着される複数の熱発色層からなるロール紙を用い、該ロール紙を加熱して画像形成する画像形成手段と、該画像形成手段により画像形成された前記ロール紙に光を照射することにより前記画像を定着させる画像定着手段とを備えたフォトプリンタにおいて、
前記画像定着手段は、部分的に切り欠きを有し、その内壁に沿って前記ロール紙の画像形成領域を収納する円筒形状の外形部と、
円筒形状の前記外形部の中心軸に略等しい位置に、該中心軸に沿って配置され、それぞれに定着させる画像に応じた波長の光を照射する複数の線光源からなる光照射手段と、
前記切り欠き付近に設けられた、前記光照射手段からの光を遮断する光遮断手段と、
前記ロール紙を前記内壁に沿わせるように導く搬送補助手段と、を備えることを特徴とするフォトプリンタ。
【請求項２】
ロール紙を加熱して画像形成する画像形成手段と、該画像形成手段により画像形成されたロール紙に光を照射することにより前記画像を定着させる画像定着手段とを備えたフォトプリンタにおいて、
前記画像定着手段は、部分的に切り欠きを有する円筒形状の外形部と、該外形部の内部に配置された前記光を照射する光照射手段とを備え、前記ロール紙の画像形成領域を前記外形部の内壁に沿って収納することを特徴とするフォトプリンタ。
【請求項３】
前記画像定着手段は、前記ロール紙を前記内壁に沿わせるように導く搬送補助手段を備えた請求項２に記載のフォトプリンタ。
【請求項４】
前記画像定着手段は、前記切り欠き付近に、前記光照射手段からの光を遮断する光遮断手段を備えた請求項２または請求項３に記載のフォトプリンタ。
【請求項５】
前記光照射手段は、円筒形状の前記外形部の中心軸に略等しい位置に、該中心軸に沿って配置される線光源である請求項２〜４のいずれかに記載のフォトプリンタ。
【請求項６】
前記ロール紙はそれぞれに異なる加熱温度で画像形成するとともにこれらの温度に応じて異なる波長の光により画像定着する複数の熱発色層からなり、前記光照射手段は、定着させる画像に応じた波長の光を照射する光源を複数備える請求項２〜５のいずれかに記載のフォトプリンタ。
【発明の詳細な説明】
【０００１】
【発明の属する技術分野】
この発明は、ロール紙へ加熱により画像を形成した後、所定波長の光を照射して画像を定着させるフォトプリンタに関するものである。
【０００２】
【従来の技術】
フォトプリンタは、Ｙ（イエロー）・Ｍ（マゼンダ）・Ｃ（シアン）の３原色に発色する３つの熱発色層が積層されたロール紙を用い、サーマルヘッド加熱による画像形成と紫外線照射による定着とを繰り返すことでフルカラー画像を形成する。
【０００３】
従来のフォトプリンタの画像形成、定着の工程について図５を参照して説明する。
図５は従来のフォトプリンタの画像形成、定着工程を順に示す概要図であり、３が画像形成部、４が画像定着部、２３，２４はロール紙１００を搬送する搬送ローラ対、６１，６２はロール紙の搬送と搬出とに用いる搬出ローラ対である。
画像形成部３はロール紙１００に加熱を行うことで所定の画像を形成するサーマルヘッド３１とこのサーマルヘッド３１にロール紙１００を介して対向する位置に配置された搬送ローラ３２とからなる。また、画像定着部４は、マゼンダ定着（Ｍ定着）用蛍光灯４１ａ，４１ｂと、これを下面側および側面側から囲むリフレクタ４２と、イエロー定着（Ｙ定着）用蛍光灯４３ａ，４３ｂと、これを下面側および側面側から囲むリフレクタ４４と、マゼンダ用蛍光灯４１ａ，４１ｂまたはイエロー用蛍光灯４３ａ，４３ｂからの光（紫外線光）を遮断するシャッタ４５とこれをロール紙１００の搬送方向に往復動させるためのガイド４６とからなる。
【０００４】
まず、ロール紙１００の一端を搬出ローラ対６１，６２方向に、所定位置まで送り出した後、画像形成部３方向に引き込む。ここで、画像形成部３のサーマルヘッド３１はイエロー画像形成温度（低温）に予め加熱されており、ロール紙１００を引き込みながらイエロー画像形成温度で所定位置に画像形成（Ｙ画像形成）を行う（図５（ａ））。
【０００５】
次に、イエロー画像形成されたロール紙１００を再度搬出ローラ対６１，６２側に送り出すとともに、シャッタ４５をイエロー定着用蛍光灯４３ａ、４３ｂおよびリフレクタ４４の上部に移動させる（図５（ｂ））。ここで、前述のイエロー画像が形成されている領域（Ｙ画像形成領域）の後端がシャッタ４５の前端に一致する位置で、ロール紙１００を停止させる。
【０００６】
次に、イエロー定着用蛍光灯４３ａ，４３ｂを点灯し、ロール紙１００を画像形成部３側に所定速度で引き込む。この際、前述のロール紙１００のＹ画像形成領域の後端とシャッタ４５の前端との位置関係を保ったまま、シャッタ４５も画像形成部３側に移動させる（図５（ｃ））。これにより、ロール紙１００のイエロー画像形成領域にのみ光が照射されてイエロー画像が定着する（Ｙ定着）。ここで、シャッタ４５がロール紙１００とともに移動することで、前記イエロー画像形成領域（Ｙ画像形成領域）の後端から後ろの画像形成をしていない領域（Ｙ非定着領域）にイエロー用蛍光灯４３ａ，４３ｂから光が直接照射されることを防止する。
【０００７】
次に、イエロー定着用蛍光灯４３ａ，４３ｂを消灯して、ロール紙１００を搬出部６側に送り出す。この時点で、シャッタ４５はイエロー用蛍光灯４３ａ，４３ｂの上方に移動させておき、マゼンダ用蛍光灯４１ａ，４１ｂの上方を開放しておく。
そして、サーマルヘッド３１をマゼンダ画像形成温度（中温）に加熱して、ロール紙１００を引き戻しながらマゼンダ画像形成温度で所定領域に画像形成（Ｍ画像形成）を行う（図５（ｄ））。
【０００８】
次に、ロール紙１００の先端がリフレクタ４２のサーマルヘッド３１側の端部付近の所定位置に達すると、マゼンダ定着用蛍光灯４１ａ，４１ｂを点灯して、ロール紙１００を搬出ローラ側に所定速度で送り出す（図５（ｅ））。ロール紙１００のマゼンダ画像形成領域の後端がリフレクタ４２にサーマルヘッド３側の端部に達するとマゼンダ定着用蛍光灯４１ａ，４１ｂを消灯する（Ｍ定着）。
【０００９】
そして、図示していないが、この後、サーマルヘッド３１でシアン画像を形成して、所定位置まで送り出した後、所定サイズに切断して搬出する。
【００１０】
また、従来の画像形成装置としては、内部に紫外線照射ランプを設けた円筒形状のドラムの外面に所定サイズの感熱記録材を配置し、外側からサーマルヘッドで画像形成した後、内部の紫外線照射ランプからの紫外線で画像定着する装置もある（特許文献１参照。）。
【００１１】
【特許文献１】
特開平５−１０４７５１号公報
【００１２】
【発明が解決しようとする課題】
ところが、前述の図５に示したフォトプリンタでは、イエロー用蛍光灯およびリフレクタからなるイエロー画像定着部とマゼンダ用蛍光灯およびリフレクタからなるマゼンダ画像定着部とをロール紙搬送方向に並べて設置しているため、この方向の装置の外形寸法が、二つの画像定着部の寸法、特にロール搬送方向の長さ寸法に依存して小型化することができない。また、水平方向に搬送されるロール紙に均一に光を照射するため、複数本（図５ではそれぞれ２本）の線光源（蛍光灯）を必要とする。さらには、これら蛍光灯から照射される光がロール紙の定着させたくない領域に照射されることを防止するため、光を遮断するシャッタを連動させているが、ロール紙の搬送に応じてシャッタを動作させる機構、例えば、複数の歯車およびクラッチの組み合わせ、を設けなければならず、構造が複雑になってしまう。
【００１３】
一方、特許文献１の発明は、ドラムに感熱記録紙を貼り付ける構造から、所定サイズに予め切断された紙を用いなければならず、ロール紙を使用することができない。また、印刷毎に感熱記録紙を取り替えなければならないため、印刷作業が非常に煩雑になってしまう。
【００１４】
この発明の目的は、ロール紙を用いることで操作性が容易であり、さらに簡素な構造で且つ正確に画像形成、定着が可能な小型のフォトプリンタを提供することにある。
【００１５】
【課題を解決するための手段】
この発明は、画像定着手段が、部分的に切り欠きを有する円筒形状の外形部と、該外形部の内部に配置された光を照射する光照射手段とを備え、ロール紙の画像形成領域を外形部の内壁に沿って収納することを特徴としている。
【００１６】
この構成では、画像定着手段の外形が円筒形状であり、画像形成されたロール紙が円筒形状の内壁に沿って搬送される。このとき、ロール紙は円筒形状の外形部の切り欠き部から画像形成領域のみが円筒形状の内壁に沿って画像定着手段の内部に配置される。ロール紙が所定位置まで搬送されると、円筒形状の画像定着手段の内部に設けられた光照射手段が点灯して、ロール紙の画像形成領域に所定波長の光を照射する。光照射手段は、所定時間光照射した後に消灯し、ロール紙は先端が画像定着手段から出る位置まで引き戻される。このように、画像形成領域のみを内部に搬送して光照射するので、ロール紙の画像未形成領域に不必要な光が照射されることを防止するシャッタを設ける必要がない。さらに、シャッタを必要としないので、ロール紙の移動とともにシャッタを移動させる構造を設ける必要がなく、簡素な構造を実現できる。
【００１７】
また、この発明は、画像定着手段に、ロール紙を内壁に沿わせるように導く搬送補助手段を備えたことを特徴とする。
【００１８】
この構成では、略円筒形状の画像定着手段に搬送補助手段を設けることで、ロール紙先端の丸まりやロール紙の搬送方向を規制し、正確に内壁に沿うように搬送することができる。
【００１９】
また、この発明は、画像定着手段の外形部の切り欠き付近に、光照射手段からの光を遮断する光遮断手段を備えたことを特徴としている。
【００２０】
この構成では、円筒形状の画像定着手段の切り欠き付近に光遮断手段を備えることにより、画像定着手段の光照射手段から照射される光が画像定着手段の外部に漏れることが抑制されるので、ロール紙の非定着領域（画像未形成領域）に光が照射されることをさらに防止できる。
【００２１】
また、この発明は、光照射手段を、円筒形状の外形部の中心軸に略等しい位置に、この中心軸に沿って配置されている線光源で構成することを特徴としている。
【００２２】
この構成では、光照射手段が画像定着手段の円筒形状の外形部の中心に配置されるので、一本の線光源（例えば蛍光灯）で、円筒形状の内壁に配置されたロール紙の全面に亘り略同じ強度で光を照射することができる。
【００２３】
また、この発明は、ロール紙をそれぞれに異なる加熱温度で画像形成するとともにこれらの温度に応じて異なる波長の光により画像定着する複数の熱発色層から形成し、光照射手段をそれぞれに定着させる画像に応じた波長の光を照射する複数の光源で構成することを特徴としている。
【００２４】
この構成では、それぞれ異なる波長の複数の光源が一つの画像定着手段内に配置されているので、それぞれの色に対して必要な波長の光を照射する光源毎に画像定着手段を設けなくてもよく、フルカラー画像印刷を行う装置を簡素化し、小型化できる。
【００２５】
【発明の実施の形態】
本発明の実施形態に係るフォトプリンタについて図を参照して説明する。なお、以下の説明では、ＴＡ方式（サーモオートクローム方式または光定着型直接感熱記録方式）のフォトプリンタを例に説明する。ここで、ＴＡ方式とは、イエロー（Ｙ）・マゼンダ（Ｍ）・シアン（Ｃ）の３原色に発色する３つの熱発色層が積層されたＴＡペーパに、加熱による画像形成と紫外線照射による画像定着とを繰り返し行うことで、フルカラー画像を形成する方式である。
図１は本発明のフォトプリンタの主要部を示す概略構成図であり、（ａ）はロール紙１００を画像定着部７のドラム７０内に挿入する場合を示し、（ｂ）はロール紙１００を搬出部６方向に送り出す場合を示す。
図１に示すように、本実施形態のフォトプリンタ１は、給紙部２、画像形成部３、画像定着部７、切断部５、搬出部６、搬送路８および図示されていない制御部を備えている。
【００２６】
給紙部２は、ＴＡペーパの連続紙を円筒形の芯に巻いたロール紙１００を軸支するロール紙保持部材２１と、ロール紙１００を画像形成部３方向に導くための給紙ガイド２２ａおよびガイドローラ２２ｂと、ロール紙１００の送りを制御する搬送ローラ対２３，２４と、これら各ローラの回転を同期させるギア２５ａ〜２５ｅとを備えている。
【００２７】
画像形成部３は、ロール紙１００を所定温度に加熱して画像を形成するサーマルヘッド３１と、このサーマルヘッド３１にロール紙１００を介して対向する位置に配置された搬送ローラ３２と備えている。サーマルヘッド３１はロール紙１００の感熱体が積層形成されている側（図ではロール紙１００の上面側）に配置されている。また、サーマルヘッド３１には、温度コントローラ（図示せず）が接続されており、画像形成する色に応じた温度をサーマルヘッド３１が保持するように温度調整を行う。
【００２８】
画像定着部７は、搬送路８の上方に設けられた、ロール紙１００の幅方向を軸方向とし、部分的に切り欠きを有する円筒形状のドラム７０と、該ドラム７０の中心軸付近に設置されたマゼンダ用蛍光管７１とイエロー用蛍光管７２と、ロール紙１００を搬送路８からドラム７０の切り欠き部を介し内壁に沿ってドラム７０内に導く定着部ガイド７３とを備えている。ここで、マゼンダ用蛍光管７１とイエロー用蛍光管７２とは、その軸方向がドラム７０の中心軸方向と一致するように配置されている。また、定着部ガイド７３は、ロール紙１００の定着を行う場合には図１（ａ）に示すように搬送路８の下端まで回動し、ロール紙１００を搬出する場合には図１（ｂ）に示すように搬送路８の上端まで回動する。
【００２９】
切断部５は、ロール紙１００を切断するカッタ５１と、ロール紙１００の幅方向にカッタ５１を移動させるカッタ移動機構５２とを備えており、搬出部６は、切断部５で所定寸法にカットされた紙片を外部に搬出する搬出ローラ対６１、６２を備えている。制御部７は前述の各部の動作を制御する。
【００３０】
次に、本実施形態のフォトプリンタ１の動作について説明する。
ロール紙１００は、給紙部２のロール紙保持部材２１から給紙ガイド２２ａおよびガイドローラ２２ｂを介して、搬送ローラ対２３，２４の間を通って、画像形成部３に導かれる。定着部７の定着部ガイド７３は、搬送路８の上ガイド８１側にあり、画像形成部３を通過したロール紙１００は、搬送路８を通過して切断部５まで導かれ、先端から所定長の部分（余白部）がカッタ５１で切断される。
これにより、ロール紙１００における前回の画像形成・定着における照射光の漏れの影響を受けた部分を削除する。
【００３１】
次に、画像形成部３はロール紙１００を引き戻しながらロール紙１００の先端から所定領域（画像形成領域）をサーマルヘッド３１で加熱して、ロール紙１００に画像を形成する。ここで、サーマルヘッド３１はイエロー用加熱温度（低温）で保持されており、ロール紙１００を低温加熱してイエロー画像を形成する。
【００３２】
イエロー画像が形成されたロール紙１００は、搬送路８に導かれる。画像定着部７の定着部ガイド７３は、この時点で搬送路８の下ガイド８２側に回動しており、搬送路８に導かれたロール紙１００は、定着部ガイド７３によりドラム７０の切り欠き部から内壁に沿って搬送される。そして、前記画像形成領域分ロール紙１００がドラム７０内に搬送されると、ロール紙１００の搬送が停止され、イエロー用蛍光管７２が点灯して、イエロー定着用の波長の紫外線光を照射する。
ロール紙１００は画像形成領域だけがドラム７０の内壁に沿って停止しているので、ドラム７０の軸中心の極近傍に配置されているイエロー用蛍光管７２からの放射状の紫外線光は、画像形成領域全面に略同じ強度で照射される。これにより、画像形成領域全面に亘り均一にイエロー画像を定着することができる。
【００３３】
イエロー画像が定着されたロール紙１００は、画像形成部３に引き戻されながら、マゼンダ画像が形成される。マゼンダ画像は、サーマルヘッド３１の加熱温度をイエロー画像用加熱温度よりも高い中温に保持して、前述のイエロー画像形成と同じ方法で画像形成を行う。
【００３４】
マゼンダ画像が形成されたロール紙１００は、再び画像定着部７に導かれる。
すなわち、定着部ガイド７３の先端が搬送路８の下ガイド８２側にある状態で、ロール紙１００を搬送して、ロール紙１００の画像形成領域のみをドラム７０の内壁に沿って導く。
【００３５】
画像定着部７は、マゼンダ用蛍光管７１を点灯して、マゼンダ定着用の波長の紫外線光を照射する。この場合も、ロール紙１００は画像形成領域だけがドラム７０の内壁に沿って停止しているので、ドラム７０の軸中心の極近傍に配置されているマゼンダ用蛍光管７１からの放射状の紫外線光は、画像形成領域全面に略同じ強度で照射される。これにより、画像形成領域全面に亘り均一にマゼンダ画像を定着することができる。
【００３６】
マゼンダ画像が定着されたロール紙１００は、画像形成部３に引き戻されながら、シアン画像が形成される。シアン画像は、サーマルヘッド３１の加熱温度をマゼンダ画像用加熱温度よりもさらに高い高温に保持して、前述のイエロー画像形成およびマゼンダ画像形成と同じ方法で画像形成を行う。
【００３７】
シアン画像は定着処理が必要でないので、シアン画像形成されたロール紙１００は搬送路８を介して切断部５に導かれる。すなわち、定着部ガイド７３の先端が搬送路８の上ガイド８１側に位置するように定着部ガイド７３を回動しておくことで、画像形成部３から搬出されるシアン画像形成されたロール紙１００は切断部５へ導かれる。
【００３８】
切断部５はシアン画像形成されフルカラーで画像形成されたロール紙１００を所定寸法で切断し、搬出部６はこの所定寸法のフルカラー画像印刷紙をフォトプリンタ１外部に搬出する。
【００３９】
前述のように画像定着部を円筒形状に形成し、内壁に沿ってロール紙の画像形成領域のみを導いて紫外線光を照射することで、ロール紙の画像未形成領域に紫外線光が照射することを防止するシャッタを設けなくてもよく、装置の構成を簡素化できる。また、従来のようにシャッタの動きをロール紙の搬送に同期させる駆動系を設ける必要もなくなるので、さらに装置の構成を簡素化できる。
【００４０】
また、各波長の蛍光管をドラムの軸近傍に配置することで、ドラムの内壁に沿って導かれたロール紙の画像形成領域全域に略同じ強度で紫外線光を照射できる。これにより、蛍光管数を削減して装置コストを低減できる。
【００４１】
また、波長の異なる複数の蛍光管をドラムの軸近傍に配置することで、このドラム一つで複数色の定着を行うことができる。これにより、定着させる色毎に画像定着部を設けなくてもよく、装置を簡素化および小型化することができる。
【００４２】
また、ロール紙を用いることで、一旦給紙部にロール紙をセットしておけば、セットしたロール紙の長さに応じて所定枚数に亘り、容易に所定寸法のフルカラー画像印刷紙（写真）を作成することができる。すなわち、所定寸法に予め切断された感熱記録紙を用い１枚毎に装置にセットして画像を印刷する手間は必要なく、多数の画像を連続して容易に印刷することができる。
【００４３】
なお、前述の実施形態では、画像定着部７を搬送路８の上方に配置したが、図２に示すように搬送路８の下方に配置しても良い。この場合、サーマルヘッド３はロール紙１００の下方に配置され、ロール紙１００を給紙部２にセットする方向も逆となる。
【００４４】
また、前述の実施形態では、ドラム７０の内壁に導くように搬送するだけの構造を示したが、図３に示すように、ドラム７０内部にドラム７０の内径よりも外径が所定量小さい、紫外線光を透過する透光性で円筒形状の搬送ガイド７５（本発明の搬送補助手段に対応）を設置してもよい。これを設置することで、ロール紙１００の先端の丸まり等により、ロール紙１００がドラム７０の内壁に沿って搬送されない等の不具合を防止することができる。
【００４５】
また、前述の実施形態の定着部ガイド７３およびその近傍の搬送路８を図４に示す形状にし、次に示すように動作させることでロール紙１００の画像未形成領域への照射光の漏れをさらに防止することが可能となる。
【００４６】
図４は定着部ガイド付近の構造を示す概略構成図であり、（ａ）がドラム内にロール紙を導く場合、（ｂ）は紫外線光照射中の場合、（ｃ）は切断部にロール紙を導く場合を示す。
【００４７】
図４に示すように定着部ガイド７３は先細り形状となっており、搬送路８の上ガイド８１も定着部ガイド７３と同様に先細り形状となっている。
【００４８】
ロール紙１００をドラム７０内に導く場合、図４（ａ）に示すように、定着部ガイド７３はその先端が搬送路８の下ガイド８２に接触する位置に回動して停止する。そして、ロール紙１００の画像形成領域全域がドラム７０内に導かれると、図４（ｂ）に示すように、定着部ガイド７３は搬送路８の上方に向かって所定量回動して停止する。ここで、定着部ガイド７３は、ロール紙１００に不要な圧力をかけない程度に挟み込む位置に停止する。このように、定着部ガイド７３を先細り形状にし、ロール紙１００および上ガイド８１に接近させることで光の漏洩を防ぐことができ、本発明の光遮断手段として機能する。次に、ロール紙１００を切断部５に搬送する場合、定着部ガイド７３は搬送路８の上ガイド８１に接触する位置まで回動して停止する。
【００４９】
【発明の効果】
この発明によれば、画像形成領域のみを画像定着部の略円筒形状のドラム内部に搬送して光照射するので、ロール紙の画像未形成領域に不必要な光が照射されることを防止するシャッタを設ける必要がない。さらに、シャッタを必要としないので、ロール紙の移動とともにシャッタを移動させる構造を設ける必要がなく、簡素な構造のフォトプリンタを実現できる。
【００５０】
また、この発明によれば、略円筒形状の画像定着部に搬送補助部を設けることで、ロール紙先端の丸まりやロール紙の搬送方向を規制し、正確に内壁に沿うようにロール紙を搬送させることができる。
【００５１】
また、この発明によれば、画像定着部の円筒形状の外形部の切り欠き付近に光遮断手段を備えることにより、画像定着部の線光源から照射される光が画像定着部の外部に漏れることが抑制されるので、ロール紙の非定着領域（画像未形成領域）に光が照射されることを防止できる。
【００５２】
また、この発明によれば、線光源が円筒形状の外形部の中心に配置されるので、一本の線光源で、円筒形状の内壁に配置されたロール紙の全面に亘り略同じ強度で光を照射することができる。これにより、線光源数を削減して装置コストを低減できる。
【００５３】
また、この発明によれば、それぞれ異なる波長の複数の光源を一つの画像定着部内に配置することで、それぞれの色に対して必要な波長の光を照射する光源毎に画像定着部を設けなくてもよく、フルカラー画像印刷を行う装置を簡素化し、小型化できる。
【図面の簡単な説明】
【図１】本発明の実施形態に係るフォトプリンタの主要部を示す概略構成図
【図２】本発明の実施形態に係るフォトプリンタの他の構成を示す概略構成図
【図３】本発明の実施形態に係るフォトプリンタの他の構成の画像定着部を示す拡大構成図
【図４】本発明の実施形態に係るフォトプリンタの他の構成の画像定着部（定着部ガイド付近）を示す拡大構成図
【図５】従来のフォトプリンタの動作を示す概略図
【符号の説明】
１−フォトプリンタ
１００−ロール紙
２−給紙部
２１−ロール紙保持部材
２２ａ−給紙ガイド、２２ｂ−ガイドローラ
２３，２４−搬送ローラ対
２５ａ〜２５ｅ−搬送用ギア
３−画像形成部
３１−サーマルヘッド
３２−搬送用ローラ
４，７−画像定着部
４１ａ，４１ｂ，７１−マゼンダ用蛍光管
４２，４４−リフレクタ
４３ａ，４３ｂ，７２−イエロー用蛍光管
４５−シャッタ
４６−シャッタ４５用ガイド
７０−ドラム
７３−定着部ガイド
５−切断部
５１−カッタ、５２−カッタ移動機構
６−搬出部
６１，６２−搬出用ローラ対
８−搬送路
８１−搬送路上ガイド、８２−搬送路下ガイド
【図１】
2005007652.tif 000003
【図２】
2005007652.tif 000004
【図３】
2005007652.tif 000005
【図４】
2005007652.tif 000006
【図５】
2005007652.tif 000007